(57)【要約】【課題】流体中の金属粉等の異物の除去性能を向上できるフィルタを提供する。【解決手段】異物を除去するために流体通路に配置されるフィルタ１であって、流体の流れを阻害して流体滞留域２０を形成する流れ抵抗部２と、流れ抵抗部２に連設されたフィルタ部３と、異物を吸着する流体滞留域２０に面する位置に配置したマグネット５と、を備えた。【選択図】図１
2013223850.tif 000002
【特許請求の範囲】
【請求項１】
異物を除去するために流体通路に配置されるフィルタであって、
流体の流れを阻害して流体滞留域を形成する流れ抵抗部と、
前記流れ抵抗部に連設されたフィルタ部と、
異物を吸着する前記流体滞留域に面する位置に配置したマグネットと、を備えたフィルタ。
【請求項２】
前記流れ抵抗部が前記マグネットで構成してある請求項１記載のフィルタ。
【請求項３】
前記流れ抵抗部の縁部に流体の流れ方向の上流側に向けて突出する壁部を設けてある請求項１又は２記載のフィルタ。
【発明の詳細な説明】
【技術分野】
【０００１】
本発明は、主として自動車等の内燃機関に用いられるオイルに混入する金属粉等をろ過するためのフィルタに関する。
【背景技術】
【０００２】
一般に、自動車等の内燃機関に用いられるオイルには、摩擦、磨耗、燃料の燃焼、あるいはオイル自体の劣化等により、金属粉等が混入する。オイル中の金属粉等は、ピストンやベアリングやオイルポンプの内部の部材等の損傷の原因となる。
【０００３】
そのため、オイルフィルタの上下にドーナツ状の磁石を配設し、この磁石によってオイル中に含有する金属粉等を捕捉して除去するものが存在する（例えば特許文献１参照）。
【先行技術文献】
【特許文献】
【０００４】
【特許文献１】実開平５−７４６４９公報
【発明の概要】
【発明が解決しようとする課題】
【０００５】
しかしながら、特許文献１のフィルタでは、オイルの流れ速度が速い場合にはオイルに対して磁石があまり機能せず、オイル中の金属粉等が十分に除去できない場合がある。
【０００６】
本発明は、流体中の金属粉等の異物の除去性能が向上したフィルタを提供することを目的としている。
【課題を解決するための手段】
【０００７】
本発明のフィルタの第１特徴構成は、異物を除去するために流体通路に配置されるフィルタであって、流体の流れを阻害して流体滞留域を形成する流れ抵抗部と、前記流れ抵抗部に連設されたフィルタ部と、異物を吸着する前記流体滞留域に面する位置に配置したマグネットと、を備えた点にある。
【０００８】
本構成のフィルタによれば、流れ抵抗部によって流体の流れが阻害されて流体滞留域が形成され、流体滞留域に面する位置にはマグネットが配置されているので、流体滞留域に滞留する流体中の異物をマグネットに効率よく吸着させることができる。これにより、フィルタによる流体中の異物の除去性能を向上させることができる。
【０００９】
本発明のフィルタの第２特徴構成は、前記流れ抵抗部が前記マグネットで構成してある点にある。
【００１０】
フィルタにおいて、流れ抵抗部は流体の流れに対向する位置に設けられている。このため、本構成の如く、流れ抵抗部がマグネットで構成してあると、マグネットが流体の流れに対して対向する位置となる。これにより、流体がマグネットに一旦衝突してからフィルタ部を通過することとなる。その結果、マグネットによる流体中の異物の吸着が促進され、流体中の異物の除去性能がより向上する。
【００１１】
本発明のフィルタの第３特徴構成は、前記流れ抵抗部の縁部に流体の流れ方向の上流側に向けて突出する壁部を設けてある点にある。
【００１２】
本構成の如く、流れ抵抗部の縁部に流体の流れ方向の上流側に向けて突出する壁部を設けることにより、流体滞留部において壁部によって流体の流れが遮られる。これにより、流体滞留部における流体の滞留時間が長くなり、マグネットによる流体中の異物の除去性能が向上する。
【図面の簡単な説明】
【００１３】
【図１】第１実施形態におけるフィルタの縦断面図である。
【図２】第２実施形態におけるフィルタの縦断面図である
【図３】第３実施形態におけるフィルタの縦断面図である。
【図４】第４実施形態におけるフィルタの縦断面図である
【発明を実施するための形態】
【００１４】
本発明に係るフィルタ１は、例えば自動車等の内燃機関に用いられるオイルに混入する金属粉等をろ過するために用いられる。
以下、本発明に係るフィルタを図面に基づいて説明する。
【００１５】
[第１実施形態]
図１に示すように、フィルタ１は、例えば導管１０、１１の継部内に固定され、流体としてのオイルに混入した異物を除去するために流体通路に配置される。フィルタ１は、流れ抵抗部２と、フィルタ部３と、フランジ部４と、を備える。なお、オイルは導管１０から導管１１（図１における上部から下部）に向けて流される。
【００１６】
フィルタ１は円錐状であって、底部に流れ抵抗部２が設けられている。流れ抵抗部２は、オイルの流れに対向する位置に配置されており、オイルの流れを阻害して流体滞留域２０を形成する。フィルタ部３は、流れ抵抗部２に連設されており、濾紙、金網等の濾材で構成されている。
【００１７】
フィルタ部３の上端にはフランジ部４が備えられている。フィルタ１は、フランジ部４に導管１０，１１の端面が当接することで導管１０，１１の内部に保持されている。
【００１８】
フィルタ１は、さらにオイル中の金属粉等の異物を吸着するマグネット５を備えている。本実施形態では、流れ抵抗部２をマグネット５で構成している。これにより、流体滞留域２０に面する位置にマグネット５が配置されることとなる。
【００１９】
図１のように導管１０，１１の内部に配置されたフィルタ１に対し、導管１０側から導管１１に向けてオイルを流すと、流れ抵抗部２によってオイルの流れが阻害されて流体滞留域２０が形成される。このとき、流体滞留域２０に面する位置にはマグネット５が配置されているので、流体滞留域２０に滞留するオイル中の異物をマグネット５に効率よく吸着させることができる。これにより、フィルタ１による流体中の異物の除去性能を向上させることができる。
【００２０】
[第２実施形態]
本実施形態では、図２に示すように、第１実施形態で示したフィルタ１の流れ抵抗部２の縁部２ａに、オイル（流体）の流れ方向の上流側に向けて突出する壁部６を設けてある。壁部６は流体滞留域２０において流体の流れを遮るものであるので、流体滞留域２０におけるオイルの滞留時間は、壁部６が存在しない場合に比べて長くなる。これにより、マグネット５による流体中の異物の吸着が促進されることとなり、フィルタ１の異物の除去性能が向上する。
【００２１】
[第３実施形態]
図３に示すように、フィルタ１は、底部７と、底部７に連続する筒状のフィルタ部３と、フィルタ部３の上端からその周囲に向けて設けられる流れ抵抗部２と、流れ抵抗部２に連設されるフランジ部４と、を備える。
【００２２】
フランジ部４は、流体の流れ方向に平行な立ち上がり部４ａと、導管１０に接するフランジ本体４ｂによって構成されており、立ち上がり部４ａの外周領域にはマグネット５が組み込まれている。
【００２３】
図３のように導管１０，１１の内部に配置されたフィルタ１に対し、導管１０側から導管１１に向けてオイルを流すと、フィルタ１の外周領域に設けられた流れ抵抗部２によってオイルの流れが阻害されて流体滞留域２１が形成される。このとき、流体滞留域２１に面する外周位置にはマグネット５が配置されているので、流体滞留域２１に滞留するオイル中の異物をマグネット５に効率よく吸着させることができる。これにより、フィルタ１による流体中の異物の除去性能を向上させることができる。
【００２４】
[第４実施形態]
本実施形態では、図４に示すように、第３実施形態で示したフィルタ１の流れ抵抗部２の内周側の縁部２ｂに、オイル（流体）の流れ方向の上流側に向けて突出する壁部６を設けてある。壁部６は流体滞留域２１において流体の流れを遮るものであるので、流体滞留域２１におけるオイルの滞留時間は、壁部６が存在しない場合に比べて長くなる。これにより、マグネット５による流体中の異物の吸着が促進されることとなり、フィルタ１の異物の除去性能が向上する。
【００２５】
[その他の実施形態]
上記の第２実施形態及び第４実施形態において、壁部６をマグネット５で構成してもよい。また、流れ抵抗部２及び壁部６をマグネット５で構成してもよい。また、上記の第３実施形態において、流れ抵抗部２をマグネット５で構成してもよい。
【産業上の利用可能性】
【００２６】
本発明に係るフィルタは、各種流体中の異物の除去に広く利用可能である。
【符号の説明】
【００２７】
１            フィルタ
２            流れ抵抗部
２ａ          縁部
３            フィルタ部
５            マグネット
６            壁部
２０，２１    流体滞留部
【図１】
2013223850.tif 000003
【図２】
2013223850.tif 000004
【図３】
2013223850.tif 000005
【図４】
2013223850.tif 000006